(57)【要約】ネットワークシステムは、ネットワーク（２０）の回路により相互接続される少なくとも１つの入力ＴＮＥ（１０）と１つの出力ＴＮＥ（１１）とを具備する。保護ステップにおいて、各ＴＮＥは、作業用回路（１３、１４）から入力されるトラヒックのリスニングとリセット回路（１８、１９）から入力されるトラヒックのリスニングとの間の切り替えが可能なトラヒックセレクタ（２２、２３）と、作業用回路又はリセット回路のいずれかに出力される同一のトラヒックの送信を可能にする分割モジュール（２１、２４）とを含む。各ＴＮＥは、前記リセット回路の起動及び停止、並びに前記作業用回路と前記リセット回路との間のトラヒックセレクタの切り替えを命令するＡＳＴＮエージェントと呼ばれるエージェント（２５、２６）を更に含む。２つのＡＳＴＮエージェントの各々は、前記リセット回路の起動を命令し且つ前記リセット回路の起動の完了を他方のエージェントに知らせるための「Ａｃｔｉｖａｔｅ」メッセージと、以前に起動された前記リセット回路の停止の要求を他方のエージェントに知らせるための「ＲｅｖｅｒｔＲｅｑｕｅｓｔ」メッセージと、他方のエージェントにより送信された「ＲｅｖｅｒｔＲｅｑｕｅｓｔ」メッセージを受信した後に前記リセット回路の停止を命令するための「Ｒｅｖｅｒｔ」メッセージとを送出できる。
2007514354.tif 000002
【特許請求の範囲】
【請求項１】
ネットワーク（２０）の回路により相互接続される少なくとも１つの入力転送ネットワーク要素（１０）と１つの出力転送ネットワーク要素（１１）とを具備し、
各転送ネットワーク要素は、作業用回路（１３、１４）から入力されるトラヒックのリスニングとリセット回路（１８、１９）から入力されるトラヒックのリスニングとの間の切り替えが可能なトラヒックセレクタ（２２、２３）と、作業用回路又はリセット回路のいずれかに出力される同一のトラヒックの送信を可能にする分割モジュール（２１、２４）とを含み、
各転送ネットワーク要素は、前記リセット回路の起動及び停止、並びに前記作業用回路と前記リセット回路との間の前記トラヒックセレクタの切り替えを命令するＡＳＴＮエージェントと呼ばれるエージェント（２５、２６）を更に含み、
各エージェントは、前記リセット回路の起動を命令し且つ前記リセット回路の起動の完了を他方のエージェントに知らせるためのＡｃｔｉｖａｔｅメッセージと、以前に起動された前記リセット回路の停止の要求を他方のエージェントに知らせるためのＲｅｖｅｒｔＲｅｑｕｅｓｔメッセージと、他方のエージェントにより送信されたＲｅｖｅｒｔＲｅｑｕｅｓｔメッセージを受信した後に前記リセット回路の停止を命令するためのＲｅｖｅｒｔメッセージとを前記ネットワークに送出できるネットワークシステム。
【請求項２】
ＡＳＴＮエージェントが、自身の転送ネットワーク要素に入力される前記作業用回路において障害を検出したとき、前記ＡＳＴＮエージェントは、前記リセット回路におけるトラヒックを受信するために前記トラヒックセレクタを切り替え、前記リセット回路がまだ起動されていない場合には「Ａｃｔｉｖａｔｅ」メッセージを送出し、
ＡＳＴＮエージェントが、自身の転送ネットワーク要素に入力される前記作業用回路における障害の回復を検出したとき、前記ＡＳＴＮエージェントは、前記作業用回路のトラヒックを受信するために前記トラヒックセレクタを切り替え、且つ他方の転送ネットワーク要素の前記エージェントに前記ＲｅｖｅｒｔＲｅｑｕｅｓｔメッセージを送信し、
ＡＳＴＮエージェントが、ＲｅｖｅｒｔＲｅｑｕｅｓｔメッセージを受信したとき、ＡＳＴＮエージェントは、トラヒックセレクタが前記作業用回路のトラヒックを受信するように既に切り替えられている場合には、前記リセット回路を解放するＲｅｖｅｒｔメッセージで応答することを特徴とする請求項１記載のネットワークシステム。
【請求項３】
各転送ネットワーク要素において、いわゆる有限状態機械を有するサブネットワーク接続保護が作成され、前記有限状態機械は、ＮｏＲｅｑｕｅｓｔと呼ばれる第１の状態及びＡｕｔｏＳｗｉｔｃｈと呼ばれる第２の状態を有し、
前記ＮｏＲｅｑｕｅｓｔ状態では、障害が自身の転送ネットワーク要素に対する入力において前記作業用回路における前記エージェントにより検出不可能であるため、対応するトラヒックセレクタは前記作業用回路のトラヒックをリスンし、
前記ＡｕｔｏＳｗｉｔｃｈ状態では、障害が自身のＴＮＥに対する入力において前記作業用回路で検出されるため、対応するトラヒックセレクタは前記リセット回路のトラヒックをリスンすることを特徴とする請求項２記載のネットワークシステム。
【請求項４】
エージェントが「Ｒｅｖｅｒｔ」メッセージを受信すると、前記エージェントは自身のサブネットワーク接続保護を破棄することを特徴とする請求項３記載のネットワークシステム。
【請求項５】
前記ネットワークは、ＳＤＨ転送ネットワークであることを特徴とする請求項１乃至４のいずれか１項に記載のネットワークシステム。
【請求項６】
入力転送ネットワーク要素と出力転送ネットワーク要素との間の転送ネットワークでプリプログラムリセットパスを起動及び停止する方法であって、
前記リセット回路の起動及び停止を命令するＡＳＴＮエージェントと呼ばれるエージェントが存在し、各エージェントは、前記リセット回路の起動を命令して予約リソースを相互接続するためにエージェントが送信するメッセージ「Ａｃｔｉｖａｔｅ」と、前記リセット回路の停止の要求を他方のエージェントに知らせるためにエージェントが送信するメッセージ「ＲｅｖｅｒｔＲｅｑｕｅｓｔ」と、他方のエージェントにより送信されたＲｅｖｅｒｔＲｅｑｕｅｓｔメッセージを受信した後、前記リセット回路の停止を命令するためにエージェントが送信するメッセージ「Ｒｅｖｅｒｔ」とを送出できる方法。
【請求項７】
各転送ネットワーク要素において、「ＮｏＲｅｑｕｅｓｔ」と呼ばれる第１の状態及び「ＡｕｔｏＳｗｉｔｃｈ」と呼ばれる第２の状態を有するいわゆる「有限状態機械」を含むサブネットワーク接続保護が作成され、前記エージェントは、
（ａ）ＡＳＴＮエージェントが自身の転送ネットワーク要素に入力される作業用回路において障害を検出したとき、サブネットワーク接続保護の前記有限状態機械は、前記ＡｕｔｏＳｗｉｔｃｈ状態に変化し、前記転送ネットワーク要素は、前記作業用回路のトラヒックのリスニングから前記リセット回路のトラヒックのリスニングへ切り替え、前記転送ネットワーク要素の前記サブネットワーク接続保護がまだ起動されていない場合には、前記エージェントは前記サブネットワーク接続保護を作成して、前記Ａｃｔｉｖａｔｅメッセージを送出し、
（ｂ）ＡＳＴＮエージェントが前記入力障害の回復を検出したとき、サブネットワーク接続保護の前記有限状態機械は前記ＮｏＲｅｑｕｅｓｔ状態に変化し、前記転送ネットワーク要素は前記作業用回路のトラヒックのリスニングに戻り、前記ＲｅｖｅｒｔＲｅｑｕｅｓｔメッセージは他方のエージェントに送信され、
（ｃ）ＡＳＴＮエージェントがＲｅｖｅｒｔＲｅｑｕｅｓｔを受信したとき、前記ＡＳＴＮエージェントは、サブネットワーク接続保護の前記有限状態機械がＮｏＲｅｑｕｅｓｔ状態である場合のみ前記リセット回路を停止するＲｅｖｅｒｔで応答し、
（ｄ）ＡＳＴＮエージェントがＲｅｖｅｒｔを受信したとき、前記ＡＳＴＮエージェントは、自身のサブネットワーク接続保護を破棄する
請求項６記載の方法。
【発明の詳細な説明】
【技術分野】
【０００１】
本発明は、転送ネットワークの障害の復帰の際に、プリプログラム保護回路を自動リセットする方法及びシステムに関する。
【背景技術】
【０００２】
ネットワークの管理において最も重要な概念の１つは、ネットワークの存続、すなわちネットワークにより転送されるトラヒックの存続を保証することである。ノード又は接続に障害が発生した時、関連する任意の回路は、可能な限り迅速に修復されるべきである（用語「回路」は、トラヒックを転送する実体を意味する）。
【０００３】
ネットワークが転送する必要のあるトラヒックが、データ指向アプリケーションの継続的な発展により大量になったため、ネットワークの存続は非常に重要な問題となっている。更に、障害からの存続に関連する効率の最大化及び費用の最小化が継続的に推進されている。実際には、主にループネットワークで使用される従来の保護ダイアグラムは、帯域を過度に消費する。特にメッシュネットワークにおいて存続するための要求を満足するために、他の保護ダイアグラムが開発される必要がある。
【０００４】
今日の転送ネットワークにおいて、リセット時間が約１０分の数ミリ秒である１＋１ダイアグラム等の非常に高速なリセット機構が存在する。しかし、ネットワークにおいて実現可能な各回路は、専用のリセット回路を提供する必要があるため、非常に多くのネットワークリソースの消費を伴う。
【０００５】
共有メッシュネットワークは、ループネットワークと比較して必要とする追加能力が非常に少ないが、その代わり、周知のアーキテクチャにおいて、サービスのリセット時間はループネットワークと比較して長いことが分かっている。
【０００６】
従来技術において提案されたリセットをより迅速にするための第１の解決策は、転送ネットワーク要素（ＴＮＥ）において「プリプログラム」と呼ばれるリセット機構を実現することであった。この機構は、事前にリセットパスの計算及びリソースの予約を行なうことを必要とし、それにより、障害が発生した時、既に提供されているリセットパスを起動して、障害が発生したセクションを置き換えることのみが必要となる。これは、１つ以上の回路が予約リソースを共有できることに利点がある。
【０００７】
プリプログラムリセット機構の実現例として、従来技術において、障害発生の検出、プリプログラムリセットパスの起動、並びに障害からの回復の際に通常の作業パスを再び使用するためのリセットパスの停止のシステムが提案されている。
【発明の開示】
【発明が解決しようとする課題】
【０００８】
しかし、一般に、前記システムは双方向の障害にのみ有用である。双方向の障害とは、定義上、同時に通信の双方向に関連し且つ同時に双方向において除去される障害である。そのようなシステムにおいて、作業パスが一方向のみで再起動されるため、誤った不適切な時期にプリプログラムリセットパスの除去が行なわれ、他方向のトラヒックを損失する。不具合が新しい障害として検出され且つプリプログラムリセットパスが再び起動されるまで、障害は発生したままとなる。
【０００９】
本発明の一般的な目的は、利用可能な方法及びシステムを十分に高速にすることにより、上述の欠点を除去することである。この方法及びシステムにおいて、伝送ネットワークでの障害の際のプリプログラムリセットに対するリソースの消費は少なく、また、障害の一方向のリセットがあった時でも伝送データの損失は回避されるだろう。
【００１０】
本発明による解決策は、主に同期デジタルハイアラーキ（ＳＨＤ）転送ネットワークについて適用する。これは、この種類のネットワークが普及しているためである。しかし、当業者には容易に考えられる最小限の変更で、同様の手順が他の種類のデータ転送ネットワークに適用できる。
【課題を解決するための手段】
【００１１】
この目的を考慮して、ネットワークの回路により相互接続される少なくとも１つの入力転送ネットワーク要素と１つの出力転送ネットワーク要素とを具備し、各転送ネットワーク要素は、作業用回路から入力されるトラヒックのリスニングとリセット回路から入力されるトラヒックのリスニングとの間の切り替えが可能なトラヒックセレクタと、作業用回路又はリセット回路のいずれかに出力される同一のトラヒックの送信を可能にする分割モジュールとを含み、各転送ネットワーク要素は、前記リセット回路の起動及び停止、並びに前記作業用回路と前記リセット回路との間の前記トラヒックセレクタの切り替えを命令するＡＳＴＮエージェントと呼ばれるエージェントを更に含み、各エージェントは、前記リセット回路の起動を命令し且つ前記リセット回路の起動の完了を他方のエージェントに知らせるためのＡｃｔｉｖａｔｅメッセージと、以前に起動された前記リセット回路の停止の要求を他方のエージェントに知らせるためのＲｅｖｅｒｔＲｅｑｕｅｓｔメッセージと、他方のエージェントにより送信されたＲｅｖｅｒｔＲｅｑｕｅｓｔメッセージを受信した後に前記リセット回路の停止を命令するためのＲｅｖｅｒｔメッセージとを前記ネットワークに送出できるネットワークシステムを本発明に従って実現することが要求された。
【００１２】
本発明によると、入力転送ネットワーク要素と出力転送ネットワーク要素との間の転送ネットワークでプリプログラムリセットパスを起動及び停止する方法であって、前記リセット回路の起動及び停止を命令するＡＳＴＮエージェントと呼ばれるエージェントが存在し、各エージェントは、前記リセット回路の起動を命令するため、すなわち予約リソースを相互接続するためにエージェントが送信する「Ａｃｔｉｖａｔｅ」メッセージと、前記リセット回路の停止の要求を他方のエージェントに知らせるためにエージェントが送信する「ＲｅｖｅｒｔＲｅｑｕｅｓｔ」メッセージと、他方のエージェントにより送信された「ＲｅｖｅｒｔＲｅｑｕｅｓｔ」を受信した後、前記リセット回路の停止を命令するためにエージェントが送信する「Ｒｅｖｅｒｔ」メッセージとを送出できる方法を実現することが要求される。
【００１３】
本発明の革新的な原理及び従来技術と比較した場合の利点を明らかにするため、前記原理を適用する限定しない例として、本発明の実現可能な実施形態について、添付の図面を参照して以下に説明する。
【発明を実施するための最良の形態】
【００１４】
図１を参照すると、本発明によるネットワークのブロック図が示される。図１において、ネットワークの回路により相互接続される転送ネットワーク要素（ＴＮＥ）の入力要素及び出力要素は、図中番号１０及び１１により強調され、示される。ネットワークにおいて、プリプログラムリセットダイアグラムが実現される。すなわち、障害の前にパスの計算及びリソースの選択が遂行され、障害の後にリソースの割当てが遂行される。一般的な回線において、プリプログラムリセットシステムは当業者には周知であり、更なる説明又は図示は行なわない。一般に、プリプログラムリセット回路は、入出力サブネットワーク接続保護（ＳＮＣＰ）と通過転送ネットワーク要素（ＴＮＥ）における相互接続とにより実現される。ネットワークにおいて送信された適切な所定のメッセージは、命令によるプリプログラム保護回路の起動又は停止を可能にする。
【００１５】
ＴＮＥは、複数の入力トラヒック通過ポート及び出力トラヒック通過ポートを含む。ポートは、通常のネットワーク機能に対する相互接続マトリクス１６、１７により選択的に相互接続される。図中、簡単にするため、通常のネットワークトラヒックに対する作業用回路を形成するために相互接続されるポート１２、１３及びポート１４、１５が特に示される。図中、更に示されるのは、ネットワーク２０における作業用回路のプリプログラムリセット回路の一部である入力／出力ポート１８、１９である。ネットワーク２０は、ＴＮＥのポート１３、１４を相互接続する（図示しない特定の数の通過ＴＮＥを介して）。
【００１６】
ＴＮＥは、「分割」モジュール２１、２４及びセレクタモジュール２３、２２を含む。「分割」モジュール２１、２４は、１つの同一のトラヒックを２つのポート（１つは作業用であり、１つはリセット用である）に送信することを可能にする。セレクタモジュール２３、２２は、２つのソース又は入力ポート（１つは作業用であり、１つはリセット用である）からのトラヒックを命令に応じて選択し、それをマトリクスに送信する。当然、これらのモジュールはソフトウェアでもよく、必要に応じて作成される。
【００１７】
ソースを選択するための選択モジュールの命令は、ＡＳＴＮエージェントと呼ばれるＴＮＥ内の別のソフトウェアモジュール２５、２６により行なわれる。ＡＳＴＮエージェントは、ＡＳＴＮプロトコル及び手順を実現するモジュールである。用語「ＡＳＴＮ」は、技術文献において「自動交換転送ネットワーク（Automated Switched Transport Network）」を示すために使用される。本発明によると、リセット回路の起動及び停止機能に対して、ＴＮＥ相互接続モジュールのＡＳＴＮエージェントは、以下の３つの信号又はメッセージを交換する：
（ａ）Ａｃｔｉｖａｔｅ：ＡＳＴＮエージェントは、リセット回路の起動を命令するために、すなわち予約リソースを相互接続するために送信する。
【００１８】
（ｂ）ＲｅｖｅｒｔＲｅｑｕｅｓｔ：ＡＳＴＮエージェントは、自身のプリプログラムＳＮＣＰの解除及びリセット回路の削除の要求を他方のＡＳＴＮエージェントに知らせるために送信する。
【００１９】
（ｃ）Ｒｅｖｅｒｔ：ＡＳＴＮエージェントは、リセット回路の解放を命令するために送信する。
【００２０】
本発明の目的に対して、ＴＮＥにおいて作成されるいわゆる有限状態機械（ＦＳＭ）は、いわゆる「ＡｕｔｏＳｗｉｔｃｈ」状態及び「ＮｏＲｅｑｕｅｓｔ」状態の２つの興味深い状態を有する。ＮｏＲｅｑｕｅｓｔ状態では、警告がＴＮＥから発見されないため、トラヒックセレクタ（Ｓｅｌ）は作業用回路のトラヒックをリスン(listen)する。ＡｕｔｏＳｗｉｔｃｈ状態では、警告がＴＮＥにより検出されるため、トラヒックセレクタ（Ｓｅｌ）はリセット回路のトラヒックをリスンする。
【００２１】
予備ステップ（従来技術であり、当業者には容易に考えられるため、更に説明は行なわない）において、演算回路又は作業用回路の作成はネットワークを介して行なわれ、対応するプリプログラムリセット回路に対するリソースの予約が遂行される。
【００２２】
予備ステップ動作の終了時、ネットワークは、図に概略的に示される状態である。入力／出力ＴＮＥ間の作業用回路は起動されており、障害が発生した場合に必要な全てのリソースは予約されているが、相互接続はされていない。相互接続を実現するのに必要なデータは、図中番号２７、２８により概略的に示されるいわゆるリセットテーブルに記憶される。リセットテーブルの構造及び管理については、当業者には周知である。
【００２３】
リセットテーブルに含まれるデータは、ネットワークＴＮＥに沿ってＡｃｔｉｖａｔｅメッセージの伝播を可能にする。
【００２４】
ＡｃｔｉｖａｔｅメッセージがＴＮＥにより受信されると、リセットのために予約された終端ポイント（Ｔｐ）は相互接続される。
【００２５】
作業用接続において障害（又は警告）が発生した場合、３つの状況が発生する。入力ＴＮＥのＡＳＴＮエージェントのみが接続障害を検出する場合、障害は、出力から入力への接続の一方向である。出力ＴＮＥのＡＳＴＮエージェントのみが接続障害を検出する場合、障害は、入力から出力への接続の一方向である。双方のＴＮＥのエージェントが接続障害を検出する場合、障害は双方向、すなわち入力から出力への接続及び出力から入力への接続の両方である。
【００２６】
すなわち、障害を検出したＡＳＴＮエージェントは、リセット回路に対するセットアップ信号を開始し、Ａｃｔｉｖａｔｅメッセージを送出する。また、自身の分割モジュールを作成又は起動した後に、セレクタは動かされて、保護回路のトラヒックをリスンする。このように、Ａｃｔｉｖａｔｅメッセージは、ポート１８又はポート１９を介してリセットパスに沿って送信される。換言すると、障害を検出したエージェントは、リセット回路の起動を要求するためにＳＮＣＰを作成し且つＡｃｔｉｖａｔｅメッセージを送出する。リセット回路は、いずれの場合も双方向である。Ａｃｔｉｖａｔｅ信号はネットワークにおいて伝播され、通過ＴＮＥは、Ａｃｔｉｖａｔｅ信号を受信すると、予約リソースが他方の入力ＴＮＥ又は出力ＴＮＥに到達するまで予約リソースを相互接続する。
【００２７】
障害が出力から入力への接続の一方向である場合、Ａｃｔｉｖａｔｅ信号は出力へ送信されるが、障害が他方向の一方向である場合、Ａｃｔｉｖａｔｅ信号は入力へ送信される。双方向の障害の場合、入力及び出力は、出力及び入力へそれぞれＡｃｔｉｖａｔｅ信号を送信する。
【００２８】
更に、警告を検出すると、警告を検出したＡＳＴＮ入力エージェント又はＡＳＴＮ出力エージェントにより作成されたＳＮＣＰのＦＳＭは、ＡｕｔｏＳｗｉｔｃｈ状態になる。
【００２９】
図１は、出力ＴＮＥ１１のみにより発見される一方向の障害（図中符号２９により概略的に示される回路の遮断で表わされる入力から出力への接続における障害）に対して、上述のステップが終了した時の状況を例として示す。
【００３０】
図に示されるように、入力から出力への作業用接続は、対応する双方向リセット接続により置き換えられる。
【００３１】
尚、ＡＳＴＮエージェントは、ローカルデータのみに基づいてリセット回路を起動するかを決定し、単にＡｃｔｉｖａｔｅメッセージを送出する必要がある。
【００３２】
警告の終了後、すなわち作業用回路のリセット後、リセット回路解放手順は、単一のＡＳＴＮエージェントがリセット回路を適切に解放するのに十分なデータを所持していないことを考慮する必要がある。実際には、２つのＴＮＥのうち１つのＴＮＥが、そのＴＮＥ側に入る作業用回路の活動への復帰を検出する場合、作業用回路が他方向でも有効であるということは保証されない。ＴＮＥがリセット回路を除去する場合、他方のＴＮＥが入力接続の欠如を検出し且つ新しいリセット回路を再起動するまで、トラヒックは失われるだろう。
【００３３】
従って、入力ＳＮＣＰ及び出力ＳＮＣＰの双方のＦＳＭがＮｏＲｅｑｕｅｓｔ状態である時のみ、リセット回路は解放される。すなわち、双方のセレクタＳｅｌが作業用回路でリスンしているため、作業用回路は双方向で起動されている。しかし、ＳＮＣＰの２つのＦＳＭが同一の状態であるかは事前に保証されない。実際には、連続する事象により、２つのＴＮＥの２つのＦＳＭでは異なる状態になることは明らかである。
【００３４】
本発明の原理によると、問題は、以下のことを要求することにより非常に効率的に解決される。２つのＳＮＣＰのＦＳＭのうち１つのＦＳＭがＮｏＲｅｑｕｅｓｔ状態になる度に、ＲｅｖｅｒｔＲｅｑｕｅｓｔメッセージを回路の他方の終端に送信し、且つ、ＡＳＴＮエージェントは、ＲｅｖｅｒｔＲｅｑｕｅｓｔを受信した時、ＳＮＣＰのＦＳＭがＮｏＲｅｑｕｅｓｔ状態である場合のみＲｅｖｅｒｔ（リセット回路を解放する）で応答する。
【００３５】
これにより、接続が作業用回路において実際に再確立された時にのみ、リセット回路のリソースの解放は可能となる。このように、一方向の障害又は双方向の障害に対して信頼性の高い動作が行われる。
【００３６】
要約すると、ＡＳＴＮエージェントは以下の規則に従う：
ａ）ＡＳＴＮエージェントがＴＮＥに対する入力障害を検出した時、ＳＮＣＰのＦＳＭは、ＡｕｔｏＳｗｉｔｃｈ状態に変化する（トラヒックセレクタＳｅｌは、リセット回路のトラヒックをリスンするよう変わる）。ＴＮＥのＳＮＣＰがまだ起動されていない場合、エージェントはＳＮＣＰを作成し、Ａｃｔｉｖａｔｅメッセージを送出する。
【００３７】
ｂ）ＡＳＴＮエージェントが入力障害の回復を検出した場合、ＳＮＣＰのＦＳＭは、ＮｏＲｅｑｕｅｓｔ状態に変化し（トラヒックセレクタＳｅｌは、作業用回路のトラヒックをリスンするよう変わる）、回路の他方の終端にＲｅｖｅｒｔＲｅｑｕｅｓｔメッセージを送信する。
【００３８】
ｃ）ＡＳＴＮエージェントがＲｅｖｅｒｔＲｅｑｕｅｓｔを受信した場合、ＡＳＴＮエージェントは、ＳＮＣＰのＦＳＭがＮｏＲｅｑｕｅｓｔ状態である場合のみＲｅｖｅｒｔ（保護回路を解放する）で応答する。
【００３９】
ｄ）ＡＳＴＮエージェントがＲｅｖｅｒｔを受信した場合、ＡＳＴＮエージェントは、自身のＳＮＣＰを破棄する。
【００４０】
これは、双方向の障害、一方向の障害、あるいは、ある方向での一方向の障害の後に他方向での一方向の障害が発生し、双方の方向での障害の修復が異なる時間に行なわれる連続障害を、区別することなく管理することを可能にする。
【００４１】
例として、作業用回路の双方向の遮断を招く２つの一方向の障害が連続して発生することにより起こる最も複雑な連続事象について考える。この連続して発生する障害は、常に連続して修復される。
【００４２】
本発明の原理によると、そのような連続事象が発生すると、以下の行動が行なわれる。
【００４３】
１．一方向の障害が出力ＴＮＥにより検出される：
（ａ）出力ＴＮＥはＡｃｔｉｖａｔｅメッセージを送信する。
【００４４】
（ｂ）出力ＳＮＣＰのＦＳＭがＡｕｔｏＳｗｉｔｃｈ状態になるため、対応するセレクタＳｅｌはリセット回路のリスニングを開始する。
【００４５】
（ｃ）Ａｃｔｉｖａｔｅメッセージは、通過ＴＮＥを有するネットワークにおいて伝播される。尚、通過ＴＮＥは、Ａｃｔｉｖａｔｅメッセージの受信の際にリセット回路全体が完成するまで予約Ｔｐにおける相互接続を実現する。
【００４６】
（ｄ）入力ＴＮＥは、Ａｃｔｉｖａｔｅメッセージを受信すると、自身のＳＮＣＰを実現する。前記ＳＮＣＰのＦＳＭの状態は、入力が警告を発見しないため、ＮｏＲｅｑｕｅｓｔ状態である。
【００４７】
２．一方向の障害が入力ＴＮＥにより検出される：
（ａ）入力ＴＮＥのＳＮＣＰが既に起動されているため、信号は、ネットワークにおいて送信されない。
【００４８】
（ｂ）入力ＳＮＣＰのＦＳＮがＡｕｔｏＳｗｉｔｃｈ状態になるため、対応するセレクタＳｅｌはリセット回路（既に存在する）をリスンする。出力ＳＮＣＰのＦＳＭは、ＡｕｔｏＳｗｉｔｃｈ状態のままである。
【００４９】
３．出力により発見された警告の回復：
ａ）出力ＳＮＣＰのＦＳＭがＮｏＲｅｑｕｅｓｔ状態になるため、対応するセレクタＳｅｌは、リセット作業回路のリスニングに戻る。
【００５０】
ｂ）ＲｅｖｅｒｔＲｅｑｕｅｓｔメッセージは、入力に送信される。
【００５１】
ｃ）通過ＴＮＥは、実現されたリセット回路を解放せずにＲｅｖｅｒｔＲｅｑｕｅｓｔメッセージを転送する。
【００５２】
ｄ）入力ＡＳＴＮエージェントは、ＳＮＣＰのＦＳＭがＡｕｔｏＳｗｉｔｃｈ状態であるため、ＲｅｖｅｒｔＲｅｑｕｅｓｔメッセージを拒否し、Ｒｅｖｅｒｔメッセージを送信しない。
【００５３】
４．入力により発見された警告の回復
（ａ）入力ＳＮＣＰのＦＳＭがＮｏＲｅｑｕｅｓｔ状態になるため、対応するセレクタＳｅｌは、リセット作業回路のリスニングに戻る。
【００５４】
（ｂ）ＲｅｖｅｒｔＲｅｑｕｅｓｔメッセージは、出力に送信される。
【００５５】
（ｃ）通過ＴＮＥは、実現されたリセット回路を解放せずにＲｅｖｅｒｔＲｅｑｕｅｓｔメッセージを転送する。
【００５６】
（ｄ）出力ＡＳＴＮは、ＳＮＣＰのＦＳＭがＮｏＲｅｑｕｅｓｔ状態であるため、ＲｅｖｅｒｔＲｅｑｕｅｓｔメッセージを受け入れる。
【００５７】
（ｅ）出力ＳＮＣＰは破棄される。
【００５８】
（ｆ）Ｒｅｖｅｒｔメッセージは、入力に送信される。
【００５９】
（ｇ）通過ＴＮＥは、ネットワークにおけるＲｅｖｅｒｔの伝播の際にリセット回路を解放する。相互接続に関連するＴｐは、プリプログラミングに基づいて、予約された状態のままである。
【００６０】
（ｈ）入力ＴＮＥは、Ｒｅｖｅｒｔメッセージを受信し、ＳＮＣＰを破棄する。
【００６１】
上述のステップの終了の際、リセット回路は、演算回路作成手順及びトラヒックを損失しないプリプログラムリセット回路に対するリソースの予約の終了時と同一の状態に戻る。
【００６２】
所期の目的は、リセット構造及び手順を利用可能にすることにより達成されることが明らかである。この手順は、部分的なリセットの場合であってもトラヒックを損失せずに、少ないリソース消費で十分に迅速に一方向の障害及び双方向の障害に対処することを可能にする。
【００６３】
当然、本発明の革新的な原理を適用する実施形態に関する説明は、ここで請求される独占権の範囲内で、前記原理の限定しない例として与えられる。例えば、本発明は、特にＳＤＨ転送ネットワークに適切であるが、周知の他の種類のネットワークも本発明から利益を得られる。
【図面の簡単な説明】
【００６４】
【図１】本発明によるネットワークのブロック図である。
【図１】
2007514354.tif 000003
【国際調査報告】
2007514354.tif 000004
2007514354.tif 000005